(57)【要約】【課題】  定点カメラや車載カメラなどの映像撮影装置の映像情報を公衆回線などの通信手段を用いて取得できる映像取得システムを提供する。【解決手段】  映像撮影装置１と映像情報管理装置３と端末装置５とからなる映像取得システムであって、映像撮影装置１に、カメラ１１と、位置情報を検出する手段１４と、送受信手段１５とを備え、通信衛星６１を介して映像情報管理装置３に映像情報を送信し、端末装置５からの映像取得要求に応じて映像情報管理装置３から当該映像を送信するようにした。この際、端末装置からの映像取得要求に対して、映像の公開を許容する端末装置であるか、コピー制限を行うかなどを判断して映像情報を送信する。【選択図】        図１
2006101279.tif 000002
【特許請求の範囲】
【請求項１】
複数の映像撮影装置と、これらの映像撮影装置と通信回線を介して接続される映像情報管理装置と、該映像情報管理装置と通信回線を介して接続される端末装置とからなる映像取得システムであって、
前記映像撮影装置が、映像撮影手段と、映像情報管理装置との間で映像情報および位置情報ならびに制御情報などの情報を送受信する通信手段とを有し、
前記映像情報管理装置が、前記映像撮影装置との間で映像情報および位置情報ならびに制御情報などの情報を送受信する第１の通信手段と、映像撮影装置を検索する機能と、映像撮影装置から取得した映像情報を位置情報や時間情報とともに外部記録装置に記録するように制御する外部記憶制御手段と、端末装置と通信する第２の通信手段とを有し、
前記端末装置が、映像情報管理装置と通信する通信手段と、検索条件等を入力する検索条件等入力手段と、映像情報記憶手段とを有し、
前記映像情報管理装置が端末装置からの画像取得要求に基づいて該当する検索地域内のある映像撮影装置から映像情報を取得し、端末装置に送信することを特徴とする映像取得システム。
【請求項２】
請求項１記載の映像取得システムにおいて、前記映像情報管理装置が、端末装置からの映像取得要求に基づいて該当する映像撮影装置を検索する映像撮影装置検索機能を有し、該当する映像撮影装置に映像取得情報を送信するようにした映像取得システム。
【請求項３】
請求項１または請求項２に記載の映像取得システムにおいて、映像撮影装置または映像情報管理装置に、映像取得要求を出力した装置が、画面の取得を許容する装置であるか否かの判断手段を備え、映像情報の提供を許容する装置にのみ映像情報を送出するようにした映像取得システム。
【請求項４】
請求項１ないし請求項３のいずれか一項に記載の映像取得システムにおいて、映像撮影装置または映像情報管理装置に、映像情報のコピーを制限する情報を付加するコピー制限手段を設けた映像取得システム。
【請求項５】
請求項１ないし請求項４に記載の映像取得システムを構成する映像撮影装置であって、
映像を撮影する映像撮影手段と、
映像撮影手段が撮影する映像情報を記録する映像情報記録手段と、
前記各手段を制御する制御手段と、
専用回線や公衆回線などと通信を可能とする送受信機能を有する通信手段と、
を備えた映像撮影装置。
【請求項６】
請求項５に記載の映像取得システムを構成する映像撮影装置であって、
映像撮影装置の位置情報を検出する位置情報検出手段と、
映像撮影手段により撮影した映像情報に、位置情報検出手段が検出した位置情報を対応付けて付加する位置情報付加手段と、
を備えた映像撮影装置。
【請求項７】
請求項５に記載の映像取得システムを構成する映像撮影装置であって、
映像撮影手段に予め固有のアドレスを付与する固有アドレス付与手段を備えた映像撮影装置。
【請求項８】
請求項５ないし請求項７のいずれか一項に記載の映像撮影装置であって、
映像情報の視聴を可能とする条件を設定する視聴制限情報付加手段を備えた映像撮影装置。
【請求項９】
請求項５ないし請求項８のいずれか一項に記載の映像撮影装置であって、
映像情報のコピーを制限するコピー制御情報を映像情報に付加するコピー制御情報付加手段を備えた映像撮影装置。
【請求項１０】
請求項１ないし請求項４のいずれか一項に記載された映像取得システムを構成する映像情報管理装置であって、
映像撮影装置との間で映像情報や位置情報などの各種情報を送受信する第１の通信手段と
映像情報などをサーバーなどの外部の記憶媒体に記憶する外部記憶制御手段と、
端末装置との間で制御情報や映像情報を送受信する第２の通信手段と、
位置情報または固有アドレスを持つ映像撮影装置の制御が可能かどうかを判別する映像撮影装置判別手段と、
検索条件に該当する映像情報を外部記録媒体から検索し、または、検索条件に該当する映像撮影装置を検索する映像撮影装置検索手段を備えた映像情報管理装置。
【請求項１１】
請求項１０に記載の映像情報管理装置であって、
映像情報の視聴を可能とする条件を設定する視聴制限情報付加手段を設けた映像情報管理装置。
【請求項１２】
請求項１０ないし請求項１１のいずれか一項に記載の映像情報管理装置であって、
映像情報のコピーを制限するコピー制御情報を映像情報に付加するコピー制御情報付加手段を備えた映像情報管理装置。
【請求項１３】
請求項１ないし請求項４に記載の映像取得システムを構成する端末装置であって、映像情報管理装置または映像撮影装置との間で制御信号や映像情報を送受信する通信手段と、
映像情報を記憶する映像情報記憶手段と、
映像情報管理装置の外部記憶装置に記憶された映像情報から目的の情報を得るためまたは目的とする撮影範囲に存在する映像撮影装置を検索するための検索条件等を入力する検索条件等入力手段と、
を備えた端末装置。
【発明の詳細な説明】
【技術分野】
【０００１】
本発明は、現在位置測定機能およびカメラ機能を有する映像撮影装置や個人のカメラまたは定点カメラなどの映像撮影装置で撮影した映像を取得する映像取得システム、および該システムを構成する映像撮影装置等に関する。
【背景技術】
【０００２】
テレビなどでは、一般的に定点カメラなどで、道路の交通状況、街の様子などが見られることはあったが、視聴者は番組が放映されているときしかこのカメラの映像を確認できない。さらには、他者が設置した車載カメラや定点カメラの映像を遠隔地などから制御して確認するなどのシステムはない。既にインターネットでＷｅｂカメラなる、一部公開された映像情報はあるが、個人の映像コンテンツに暗号鍵を設けて公開可否を判断させ、コピー制御の仕組みまでも併せ持つ機能を持ったシステムは無い。また、カメラの機能自体に公開可否の機能を持たせたものは無く、他者が所有するカメラ装置であっても、遠隔地などからカメラの電源を入れて撮影するなどの操作までをも可能とする機能を持つシステムは無い。
【発明の開示】
【発明が解決しようとする課題】
【０００３】
上述のとおり、これまでのカメラの映像は放送設備がない限り、公開したりまた視聴者が第三者のカメラを遠隔地などから通信手段を介して操作したり、任意に目的地の映像を参照することはできなかった。
【０００４】
本発明は、上記問題を解決するものであって、定点カメラや他者の車載カメラや個人のカメラなどの映像撮影装置の映像情報のうち公開可能な映像情報を、当該カメラの所有者以外のものが取得可能な映像取得システムを提供することを目的とする。
【０００５】
さらに、本発明は、上記映像撮影装置を遠隔地から操作することにより映像情報を取得可能とし、加えてコピー制御を可能とする映像取得システムを提供することを目的とする。
【課題を解決するための手段】
【０００６】
本発明は、上記課題を解決するために、映像撮影装置の位置を、グローバル・ポジショニング・システム（以下、「ＧＰＳ」と称す）を用いて検出し、検出した映像撮影装置が設定された目的地内にあるとき、通信元から映像転送開始信号を、通信衛星を介して目的地の映像撮影装置に送信し、映像撮影装置に装備された受信装置でその映像転送開始信号を受信し、映像転送開始回路を動作させ、映像撮影装置の電源回路を通電するとともに、映像を送信する回路を備えた。
【０００７】
また、携帯電話の位置情報などからも、映像撮影装置の位置情報を元に映像信号などのデータを遠隔地から検索し、映像情報を取得することを可能とする。
【０００８】
定点カメラなど、あらかじめ位置情報が分かるものについては、位置情報を元に目的地にある映像撮影装置を検索し、撮影した映像情報を所得することを可能とする。
【０００９】
検索時に、目的地やその付近に映像撮影装置がない場合でも、映像撮影装置が移動して検索範囲内に入った場合や、新たに設置された場合に検索範囲内に映像撮影装置があることを公衆回線などの通信手段などにより検索者の携帯電話やモバイル端末装置、パソコンなどの情報端末装置に知らせることを可能とし、また、自動で記憶装置に画像を保存することを可能とすることにより、検索者は検索条件に合致した目的地の映像を入手することを可能とする。
【００１０】
本発明において、位置を検出する仕組みとしてＧＰＳによる仕組み、携帯電話による仕組みを例に示しているが、本発明はＧＰＳや携帯電話に限定されるものではなく、ＧＰＳや携帯電話などの移動体通信網に利用されるような位置情報を検出する仕組みなど、位置を検出する仕組み全てに応用する。
【００１１】
携帯電話は、近傍の基地局に位置登録を行っている。この位置登録情報を付加して、携帯電話で録画したデータをサーバなどの記憶媒体に保管し、保管したデータに、公開する為の手段を設け、遠隔地からでも目的地の映像を見ることを可能とさせる。映像信号などのデータにこれまで、時間やファイルサイズの情報を付加することはあっても、位置情報を付加し、視聴制限情報やコピー制御情報と連携させて映像を見るような仕組みや、映像撮影装置は無かった。本発明によれば、位置情報を元に目的地で撮影した映像を見ることを可能とし、映像コンテンツに、コピー制御や視聴制限機能を加えることで、映像を公開したり、特定の人を対象に見せることを可能とさせる。
【００１２】
本発明による映像撮影装置は、ＧＰＳ受信機により得られる位置情報を検出し、検出した位置情報を記録する記憶装置と、映像撮影手段で撮影した映像情報に対応付ける制御装置と、視聴者の対象を制御できる視聴制限と、コピー制御を行なえる機能と、また、映像撮影装置に固有のアドレスを持たせる機能と、専用回線や公衆回線と通信可能な通信手段と、映像撮影装置がもつ情報を表示する表示装置と、制御装置を所有するもの以外の制御をも可能とさせる機能を具備したことを特徴とする。
【００１３】
また、本発明による映像情報管理装置は、映像撮影装置により撮影した、映像情報など各種情報を記憶する記憶装置と、検索元の各種端末装置から、映像情報や映像撮影装置などを検索する為の条件をインターネットサービスプロバイダーなどのセンタに送信し、センタはその目的地の情報を元に該当する目的地の映像情報や映像撮影装置を検索することを可能とする検索機能と、映像情報や映像撮影装置を検出した場合は、その映像撮影装置の位置情報など各種情報を、検索元の端末装置に送信する機能と通信手段と、固有アドレスを持つ映像撮影装置の制御が可能かどうか自動で判断する機能を具備することを特徴とする。
【００１４】
さらに、本発明による端末装置は、検索条件など各種情報を入力したり、検索した映像撮影装置を制御するための情報を入力するなど各種情報入力装置と、該当した映像情報などの各種情報などを受信する受信装置と、各種情報を送受信するための通信装置と、受信した各種情報を自動でコピー制御に基づき記憶するコピー制御対応記憶装置と、入手した検索結果より、自動で視聴制限情報に基づき視聴を制御する機能と、得られた映像情報や映像撮影装置の各種情報などを表示するモニターなどの出力装置を具備することを特徴とする。
【００１５】
すなわち、本発明は、複数の映像撮影装置と、これらの映像撮影装置と通信回線を介して接続される映像情報管理装置と、該映像情報管理装置と通信回線を介して接続される端末装置とからなる映像取得システムであって、前記映像撮影装置が、映像撮影手段（カメラ）と、映像情報管理装置との間で映像情報および位置情報ならびに制御情報などの情報を送受信する通信手段（送受信手段）とを有し、前記映像情報管理装置が、前記映像撮影装置との間で映像情報および位置情報ならびに制御情報などの情報を送受信する第１の通信手段と、映像撮影装置を検索する機能と、映像撮影装置から取得した映像情報を位置情報や時間情報とともに外部記録媒体に記録するように制御する外部記憶制御手段と、端末装置と通信する第２の通信手段とを有し、前記端末装置が、映像情報管理装置と通信する通信手段と、検索条件等を入力する検索条件等入力手段と、映像情報記憶手段とを有し、前記映像情報管理装置が端末装置からの画像取得要求に基づいて該当する検索地域内のある映像撮影装置から映像情報を取得し、端末装置に送信するようにした。
【００１６】
本発明は、上記映像取得システムにおいて、前記映像情報管理装置が、端末装置からの映像取得要求に基づいて該当する映像撮影装置を検索する映像撮影装置検索機能を有し、該当する映像撮影装置に映像取得情報を送信するようにしたシステムであり、映像撮影装置または映像情報管理装置に、映像取得要求を出力した装置が、映像情報の取得を許容する装置であるか否かの判断手段を備え、映像情報の提供を許容する装置にのみ映像情報を送出するようにしたシステムであり、映像撮影装置または映像情報管理装置に、映像情報のコピーを制限する情報を付加するコピー制限情報付加手段を設けたシステムである。
【００１７】
また、本発明は、上記映像取得システムを構成する映像撮影装置であって、映像を撮影する映像撮影手段と、映像撮影手段が撮影する映像情報を記録する映像情報記録手段と、前記各手段を制御する制御手段と、専用回線や公衆回線などと通信を可能とする送受信機能を有する通信手段とを備えた。さらに、本発明は、上記映像撮影装置であって、映像撮影装置の位置情報を検出する位置情報検出手段と、映像撮影手段により撮影した映像情報に、位置情報検出手段が検出した位置情報を対応付けて付加する位置情報付加手段とを備えた。また、本発明は、上記映像撮影装置であって、映像撮影手段に予め固有のアドレスを付与する固有アドレス付与手段を備えた。
【００１８】
さらに、本発明は、上記映像撮影装置であって、映像情報の視聴を可能とする条件を設定する視聴制限情報付加手段を設けた。また、本発明は、上記映像撮影装置であって、映像情報のコピーを制限するコピー制御情報を映像情報に付加するコピー制御情報付加手段を備えた。
【００１９】
本発明は、前記映像取得システムを構成する映像情報管理装置であって、映像撮影装置との間で映像情報や位置情報などの各種情報を送受信する第１の通信手段と、映像情報などをサーバなどの外部の記憶媒体に記憶する外部記憶制御手段と、端末装置との間で制御情報や映像情報を送受信する第２の通信手段と、位置情報または固有アドレスを持つ映像撮影装置の制御が可能かどうかを判別する映像撮影装置判別手段と、検索条件に該当する映像情報を外部記録媒体から検索し、または、検索条件に該当する映像撮影装置を検索する映像撮影装置検索手段を備えた。また、本発明は、この映像情報管理装置であって、映像情報の視聴を可能とする条件を設定する視聴制限情報付加手段を設けた。さらに、本発明は、上記映像情報管理装置であって、映像情報のコピーを制限するコピー制御情報を映像情報に付加するコピー制御情報付加手段を備えた。
【００２０】
本発明は、前記映像取得システムを構成する端末装置であって、映像情報管理装置または映像撮影装置との間で制御信号や映像情報を送受信する通信手段と、映像情報を記憶する映像情報記憶手段と、映像情報管理装置の外部記録媒体に記憶された映像情報から目的の情報を得るためまたは目的とする撮影範囲に存在する映像撮影装置を検索するための検索条件等を入力する検索条件等入力手段とを備えた。
【発明の効果】
【００２１】
本発明によれば、目的地の映像を、端末装置から検索し、該当する目的地の映像を任意に取得することを可能とすることで、その場に行かなくても映像を入手することが可能となる。本発明においては、さらに、個人が撮影した映像情報であっても、視聴制限情報やコピー制御情報を付加することが可能なため、個人の映像コンテンツを自動的に保護することができる。
【００２２】
稼動していない映像撮影装置でも、利用者があれば、操作を可能とし、映像撮影装置の有効利用、映像コンテンツの有効利用が可能である。検索の結果同一の位置に複数の映像撮影装置を検出できた場合、複数の角度からの映像を観察することも可能となる。
【００２３】
個人で複数台の映像撮影装置を所有することなく、映像撮影装置の映像を観察することが可能。世界中にこのシステムがあれば、操作可能な映像撮影装置を検出できれば、世界中の映像撮影装置で映像を観賞することも可能となる。
【００２４】
本発明によれば、映像撮影装置が移動中でも、ＧＰＳにより、現在位置を測位して、映像情報に位置情報などのデータを付加することで、目的地にある、映像撮影装置を検出することが可能となる。従来は、定点映像撮影装置などにより、地域の交通状況や、市街の風景や、海などの風景の映像などを放送波や、ケーブルテレビなどの通信手段を用いて、可能であったが、本発明によれば、さらに、位置情報を元にその街を走行中の車載カメラなどの映像撮影装置を検出し、実際に走行中の風景を見ることが可能となる。また、測位可能であれば、電車の運転台などから撮影した景色も見ることが可能となる。さらに、映像撮影装置が、海や、山にいても、ＧＰＳを用いて取得した現在位置の情報を映像情報管理装置３からの要請に応じて出力することで映像撮影希望範囲にある映像撮影装置を検出し、映像撮影装置で撮影している映像を取得することができる。また、映像撮影装置の動作を外部から制御することが可能であれば、カメラの向きや、ズームイン、ズームアウトも可能となり、検索の結果複数映像撮影装置を検出した場合、マルチアングルカメラのように、複数の映像信号を見ることが可能である。
【００２５】
車両側に現在位置が撮影可能領域内か否かを自分で判断して撮影機能を働かせる機能を具備させることにより、走行中に、撮影禁止区域での撮影を自動で禁止することが可能である。
現在の映像信号のみならず、サーバなどの記憶装置に保存されている映像信号を、位置情報に基づいて過去の映像も検索することを可能とする。この発明により、どの時間帯に、道路が混雑しているかなどの道路情報や、風景などの空模様から、天気の移り変わりを観察することなども可能となり、ゲレンデなどの積雪状況や混み具合、海の混み具合なども観察することが可能である。また、鉄道マニアには、運転台からの映像を見ることも可能である。また、バス、タクシーなどの公共交通機関や、トラックなどの車両の車載カメラからも、現在の交通状況を確認したり、事故を起こした際の証拠の映像も入手することが可能となる。
【００２６】
また、既にある、渋滞情報などは、渋滞情報が登録されて、カーナビなどに反映されるまでにタイムラグがあるが、本発明によれば、現在の映像を即座に入手することが可能で、各道路の混み具合をみて、走行することも可能である。また、主だった観光地などの風景なども鑑賞することが可能である。
【００２７】
映像撮影装置の映像コンテンツに公開可否などを判別する仕組みとして暗号や鍵などを設けることにより、公開可否を確実に判断し実行することができる。
【００２８】
これまで、コンテンツ製作会社などの、映像コンテンツ提供者が付加していた視聴制限やコピーコントロール機能を、一般の利用者が所有する映像撮影装置に付加することにより、一般の利用者が視聴制限やコピーコントロールを行うことが可能となる。
【００２９】
本発明によれば、位置情報を用いることで、映像撮影装置の映像をコンテンツとして利用可能となる。本発明によれば、世界中の映像撮影装置を検出したり、映像撮影装置からの映像を即座に検索し、目的地の映像を確認することが可能となる。
【００３０】
また、利用者が使用する端末装置としてＰＣ以外の通信機能をもった自宅のホームサーバやハードディスクレコーダに、本発明の機能を設定することにより、これらの装置に映像信号を保存することが可能となる。また、端末装置から指定した場所や時間帯の映像を、端末装置に自動的に保存し、任意の場所や時間帯に自宅の記憶媒体にアクセスすることで、映像信号を確認することが可能となる。
【００３１】
さらに、野球やサッカーなどをテレビなどで観戦中に、公開している映像撮影装置や映像コンテンツが放送されていない映像を取得することが可能となる。映像情報に視聴制限がかかっている場合は、視聴契約をすることによって、視聴可能のうち気に入った選手を追いかけている映像撮影装置からの映像情報を入手することで、外出先からでも、ＰＣや携帯電話の画面から映像を確認することが可能となる。
【００３２】
さらに、観光産業においては、これまで、旅行に行ける条件が整った人のみが行える国内・海外旅行についても、本発明にかかる映像取得システムを利用することが可能であれば、実際に目的地に行かなくても、公開中の映像撮影装置や、視聴制限を解く手段を持っていれば、自宅などにいながら観光地などの様子を見ることが可能となる。
【００３３】
さらに、運輸業においては、例えば、運送中の車輌がどこで渋滞にはまっているかという状況を確認することができたり、渋滞をあらかじめ避けるような走行をすることが可能になる。また、もし、事故を起こした場合でも、車輌に設置してある、映像撮影装置により、事故の状況を録画しておくことで事故処理を、映像を元に進めることが可能となる。
【００３４】
映像コンテンツ産業においては、放送局やコンテンツ製作会社などが、あらかじめ観光の人気スポットに映像撮影装置を設置したり、鉄道各社の運転台の映像撮影装置などを契約しておくことで、その映像を映像コンテンツとして、放送局に配給したり、個人に販売することで、映像コンテンツ産業の活性化が図れる。
【発明を実施するための最良の形態】
【００３５】
以下、本発明にかかる映像取得システムの実施の形態を、図面を参照しながら説明する。図１は、本発明にかかる映像取得システムの構成の概要を説明する図であり、移動可能な車両１０などに搭載された映像撮影装置１と、映像情報管理装置（ＩＳＰ：Ｉｎｔｅｒｎｅｔ  Ｓｅｒｖｉｃｅ  Ｐｒｏｖｉｄｅｒ）３と、利用者７が操作する端末装置５とを有しており、映像撮影装置１と映像情報管理装置３は、通信衛星６１と通信基地局６２を介して接続され、映像撮影装置１および映像情報管理装置３と端末装置５は、公衆回線６３を介して接続される。映像撮影装置１は、カメラ１１と、制御部１３と、例えばＧＰＳシステムを利用した位置情報検出手段１４と、送受信手段（通信手段）１５とを有して構成される。車両１０は、例えばタクシーや宅配便の車両であり、車両１０の現在の位置を検出する手段として例えばＧＰＳを採用した位置情報検出手段１４などが搭載されている。
【００３６】
映像撮影装置１のさらに詳細な構成を、図２を用いて説明する。映像撮影装置１は、カメラ１１と、制御部１３と、位置情報検出手段（ＧＰＳ）１４と、送受信手段１５と、固有アドレス１６と、遠隔制御手段１７とを有して構成される。
【００３７】
制御部１３は、映像情報記録手段１３１と、位置情報付加手段１３２と、位置情報記録手段１３５と、制御部１３６と、視聴制限情報付加手段１３７と、コピー制御情報付加手段１３８と、表示手段１３９とを有して構成される。
【００３８】
カメラ１１は、目的地の映像を撮影する映像撮影手段である。
【００３９】
制御部１３は、映像撮影装置の動作を制御する手段である。さらに、制御部１３は、撮影した映像を要求者に適用するか否かの判断やコピー制御を行う機能を有している。
【００４０】
位置情報検出手段１４は、ＧＰＳなどを用いて映像撮影装置の現在位置を検出する手段である。
【００４１】
送受信手段１５は、専用回線や公衆回線などとの通信や、通信衛星などを経由した通信を可能とする送受信機を有する通信手段である。
【００４２】
固有アドレス１６は、予め映像撮影装置１に固有に付与されているアドレスである。
【００４３】
遠隔制御手段１７は、遠隔地にいる第三者により、映像撮影装置１の動作を制御可能とする手段である。
【００４４】
映像情報記録手段１３１は、カメラ１１が撮影する映像情報を一時的に記憶したり必要時間記憶する手段である。
【００４５】
位置情報付加手段１３２は、カメラ１１が撮影した映像情報に位置情報検出手段１４が検出した現在位置情報を付加する手段である。
【００４６】
位置情報記録手段１３５は、位置情報検出手段１４が検出した位置情報を記録する手段である。
【００４７】
制御部１３６は、制御部１３の各手段を制御する手段である。
【００４８】
視聴制限情報付加手段１３７は、映像情報などの情報を、ある特定の利用者だけで利用するか、または、公開して利用するための視聴制限機能を付加する手段であり、映像情報を提供可能な利用者であることを判定する機能を有している。
【００４９】
コピー制御情報付加手段１３８は、映像情報などの情報に再コピーを許容するか否かなどのコピー制御情報を付加する手段である。
【００５０】
表示手段１３９は、映像情報や位置情報、視聴制限情報、コピー制御情報などの各種情報を表示する手段である。
【００５１】
図３を用いて、映像情報管理装置（ＩＳＰ）３の構成の概要を説明する。映像情報管理装置３は、サーバ装置や検索エンジン機能などをもつ装置であり、第１の通信手段３１と、外部記録媒体制御手段３２と、第２の通信手段３３と、映像撮影装置判別手段３４と、映像撮影装置検索手段３５と、サーバ装置などの外部の記録媒体３９を有して構成される。
【００５２】
第１の通信手段３１は、映像撮影装置１が撮影した映像情報や撮影希望範囲情報など各種情報を、通信衛星６１および通信基地局６２を介して送受信する手段である。
【００５３】
外部記録媒体制御手段３２は、映像撮影装置１から受信した映像情報などをサーバなどの外部の記録媒体３９に記憶させる手段である。
【００５４】
第２の通信手段３３は、映像撮影装置１や各種端末装置５などと公衆回線６３を介して送受信する手段である。
【００５５】
映像撮影装置判別手段３４は、固有アドレスを持つ映像撮影装置１の制御が可能かどうか判別する手段である。
【００５６】
映像撮影装置検索手段３５は、検索条件に該当する映像撮影装置を検索したり、検索条件に該当する映像情報を外部記録媒体３９から抽出する手段である。
【００５７】
図４を用いて、端末装置５の構成の概要を説明する。端末装置５は、通信手段５１と、検索条件等入力手段５２と、映像情報等出力手段５３と、映像情報記憶手段５４と、視聴制限情報判別手段５５と、映像情報制御手段５６とを備えて構成される。
【００５８】
通信手段５１は、映像情報管理装置３の外部記録媒体３９に記憶された情報から目的とする情報を得るために、検索条件などを送信したり、映像情報を含む各種情報を受信するための手段である。
【００５９】
検索条件等入力手段５２は、外部記録媒体３９に記憶された情報を検索するために検索条件等を入力する手段である。
【００６０】
映像情報等出力手段５３は、検索の結果、映像情報管理装置３から得た映像情報等を表示する手段である。
【００６１】
映像情報記憶手段５４は、検索の結果、映像情報管理装置３から得た映像情報を記憶する手段である。
【００６２】
視聴制限情報判別手段５５は、視聴制限情報を判別する手段である。
【００６３】
映像情報制御手段５６は、映像情報とともに得た再コピーを制限するコピー制御情報や視聴制限情報などを判別し、これらの制御情報を元に映像情報を表示可能かどうか、映像情報記憶手段５４に映像情報などをコピー可能かどうか制御する手段である。
【００６４】
このような構成を有する映像取得システムにおいて、所望の地域の映像を取得しようとする利用者７が端末装置５から映像情報管理装置３にアクセスした後、検索地域を指定して当該地域に公開された映像情報が有るか否かを検索する。取得したい映像情報があるときには、当該映像を有する映像撮影装置１から映像情報の提供を受けて端末装置５に格納する。このようにして、利用者は、所望の映像情報を取得することができる。
【実施例１】
【００６５】
以下、この発明の映像取得システムを車両に搭載した場合の実施例を、図１を用いて説明する。図１に示されるように、車両１０には、カメラ１１、制御部１３、例えばＧＰＳを用いた車両１０の現在の位置を検出する位置情報検出手段１４、送受信手段１５などからなる映像撮影装置１が搭載されている。映像撮影装置１は、中央処理装置および記憶装置を備えたコンピュータ機能を併せ持つ制御部１３を備えている。映像撮影装置１と映像情報管理装置３は、例えば、通信衛星６１および通信基地局６２を経由して接続されるとともに例えば移動体通信のような公衆回線６３を介しても接続される。映像撮影装置１および映像情報管理装置３と端末装置５は、公衆回線６３を介して接続される。
【００６６】
映像撮影装置１が映像情報を公開している状態で、遠隔地の通信元の利用者７が、端末装置５に検索条件を入力して公衆回線６３を介してサーバ装置や検索エンジン機能などをもつ映像情報管理装置３対して所望の地域の映像情報を取得すること（撮影希望範囲情報）を指示すると、映像情報管理装置３は、検索条件を備えた映像撮影装置１を検索し、通信基地局５および通信衛星６１を経由して、検索条件を満たす映像撮影装置１に映像情報取得信号を送信する。この映像情報取得信号は、映像撮影装置１の送受信手段１５で受信され、制御部１３に送られる。そして、この信号により、制御部１３は、送受信手段１５から公開している映像信号を送出することにより、遠隔制御によるモニタリングがなされる。
【００６７】
一方、この映像撮影装置１が映像情報を無制限に公開しておらず、ある特定の利用者に対して映像情報を提供するように設定されている場合は、制御部１３が特定の利用者であることを確認すると、送受信手段１５から映像情報を送出することにより、特定の利用者が画像を見ることが可能となる。
【００６８】
上記のようにリアルタイムの映像を遠隔地からでも見ることを可能としながら、撮影した映像を映像撮影装置１の映像情報記憶手段１３１に保存するとともに、送受信手段１５などの通信手段を用いて近傍または遠隔地などの映像情報管理装置３のサーバなどの外部記録媒体３９に映像情報を位置情報などのデータと共に保存する。
【００６９】
利用者７は、公衆回線６３などの通信手段を介して、目的地の過去の映像などを、位置情報を元に映像情報管理装置３の検索エンジンにより検索することにより、該当する目的地の画像を入手して、見ることが可能となる。
【００７０】
また、映像撮影装置１の制御部１３は、カメラ１１を制御する機能に加えて、送受信手段１５で受信した撮影希望範囲情報と位置情報検出手段１４で測定した現在位置情報とを比較して、現在位置が撮影希望範囲の外か内かを判断し、現在位置が撮影希望範囲の外のときは映像撮影装置１の撮影禁止手段を働かせる撮影禁止機能を有する。
【００７１】
図５を用いて、映像情報検索の基本的な流れを説明する。利用者７は、端末装置５で検索地域（撮影希望範囲情報）を指定し映像情報管理装置３の検索エンジンで映像情報の検索を開始する（Ｓ１）。映像情報管理装置３は、検索地域内の映像情報があるか否かを判断し（Ｓ２）、検索地域内の映像情報があった場合、映像情報が公開されているかを判別し（Ｓ３）、公開されていない場合は、特定の利用者のみに公開しているか判別を行なう（Ｓ４）。特定の利用者に公開されている場合は、利用者が特定の利用者に該当するか否かの認証を行ない（Ｓ５）、公開が許可されると、検索地域の映像情報の転送を開始する（Ｓ６）。利用者７は、端末装置５で検索地域の映像情報を確認したのち（Ｓ７）、必要とする
映像情報を視聴し、または、映像情報等記憶手段５４に保存する（Ｓ８）。
【実施例２】
【００７２】
本発明にかかる映像取得システムの第２の実施例を、図６を用いて説明する。この実施例は、映像撮影装置１がカメラを備えた携帯端末装置などのように移動可能な装置である例である。この映像取得システムは、映像撮影装置１が、カメラ１１、中央処理装置および記憶装置を備えたコンピュータ機能を併せ持つ制御部１３、例えばＧＰＳを用いた映像撮影装置１の現在位置を検出する位置情報検出手段１４、送受信手段１５、固有アドレス１６などから構成される。映像撮影装置１と映像情報管理装置３は、通信衛星６１および通信基地局６２を経由して接続されるとともに公衆回線６３を介しても接続される。映像撮影装置１および映像情報管理装置３と端末装置５は、公衆回線６３を介して接続される。
【００７３】
固有アドレスが付加された映像撮影装置１は、利用者７が固有アドレスを検索条件として、映像情報管理装置３に指定し検索エンジン機能などにより検索することで、当該固有アドレスを有する映像撮影装置１が撮影した映像情報を、位置情報と共に視聴したり、映像情報を入手することを可能とする。固有アドレスを有する映像撮影装置１が移動した場合は、逐次近傍の通信基地局６２を経由して映像情報と共に位置情報を付加した各種情報を映像情報管理装置３のサーバなどの記憶装置に記憶させることで、映像撮影装置１が移動中であっても常に、利用者７は、映像情報などの各種情報を視聴したり、端末装置５の記憶装置などに保存することが可能である。
【００７４】
図７を用いて、映像撮影装置１を検索した結果該当する映像撮影装置１を起動して所望の映像情報を取得する処理の流れを説明する。利用者７が端末装置５を介して映像撮影検索地域（撮影希望範囲情報）を指定すると（Ｓ１１）、映像情報管理装置３は検索エンジンで検索を開始する（Ｓ１２）。映像撮影検索地域内に映像撮影装置１があった場合、映像撮影装置１が公開されているかを判別し（Ｓ１３）、公開されていない場合は、特定の利用者のみに公開しているか判別を行なう（Ｓ１４）。特定の利用者に公開されている場合は、利用者の認証を行なったのち（Ｓ１５）、認証が許可されたら、映像撮影装置１を起動する（Ｓ１６）。利用者７は、映像撮影装置１を端末装置５で確認したのち（Ｓ１７）、気に入った映像を提供する映像撮影装置１を選択し、任意に画像を視聴する（Ｓ１８）。利用者７が視聴する映像撮影装置１の画像をコピーする場合は、コピー制御の判定を行い（Ｓ１９）、コピーが許可されていれば、端末装置５で記録することが可能となる（Ｓ２０）。
【実施例３】
【００７５】
本発明にかかる映像取得システムの第３の実施例を、図８を用いて説明する。この実施例は、映像撮影装置１が時刻とともに移動して検索地域に出入りする場合の映像取得方法に関する実施例である。利用者７が端末装置５により目的の検索地域を指定し、公衆回線基地局６４を介し、映像情報管理装置３、通信基地局６２、通信衛星６１を経由して、映像撮影装置１に、目的の検索地域の領域情報を設定する。映像撮影装置１は、設定された領域情報と現在の位置情報を照合する。時刻ｔ０において、映像撮影装置１は、検索地域外であるので、映像情報は送信しない。時刻ｔ１では、検索地域に入っているため、目的の検索地域と合致したと判断し、公衆回線基地局６４などの通信手段を介して映像撮影装置１から、公衆回線基地局６４を介して映像情報を映像情報管理装置３に送信し、利用者７には、リアルタイムで位置情報の付加された映像情報を送信する。また、時刻ｔ１のときの映像情報を映像情報管理装置３の記録媒体３９や、端末装置５の記憶装置５４に位置情報を付加した映像情報を保存することをも可能とする。時刻ｔ２では、映像撮影装置１が位置情報と比較して目的の検索地域から脱したと判断し、映像情報送信を停止する。また、映像撮影装置１が位置情報を付加しながら映像情報を公開した場合は、公開された映像情報を近傍の公衆回線の基地局６４に転送し、映像情報管理装置（ＩＳＰ）３で管理された利用者７が公開された映像情報を検索することも可能である。
【００７６】
図９を用いて、固有アドレスを付加した映像撮影装置１の映像情報の基本的な流れを示す。映像撮影装置１に、固有アドレス付加する（Ｓ３１）。映像撮影装置１は、位置情報を付加しながら、映像情報の公開を開始し、映像情報管理装置３のサーバ等の記録媒体３９に映像情報を保存する（Ｓ３２）。利用者７は、映像情報管理装置３の検索エンジンを利用し、固有アドレスの映像情報があるか検索を開始する（Ｓ３３）。検索の結果、固有アドレスの映像情報が検索されたなら、端末装置５に取り込み視聴または保存が可能となる（Ｓ３４）。
【図面の簡単な説明】
【００７７】
【図１】本発明にかかる映像取得システムの基本的な構成の概要を説明する図。
【図２】図１の映像取得システムを構成する映像撮影装置の基本的な構成の概要を説明する図。
【図３】図１の映像取得システムを構成する映像情報管理装置の基本的な構成の概要を説明する図。
【図４】図１の映像取得システムを構成する端末装置の基本的な構成の概要を説明する図。
【図５】本発明の映像取得システムにおける映像撮影装置検索フロー。
【図６】本発明の第２の実施例にかかる固有アドレスを用いて映像撮影装置を検索する映像取得システムの構成の概要を説明する図。
【図７】本発明の映像取得システムにおける映像撮影装置検索フロー。
【図８】本発明の第３の実施例にかかる移動する映像撮影装置を検索する映像取得システムの構成の概要を説明する図。
【図９】本発明の映像取得システムにおける映像撮影装置検索フロー。
【符号の説明】
【００７８】
１  映像撮影装置
１０  車両
１１  カメラ
１３  制御部
１３１  映像情報記録手段
１３２  位置情報付加手段
１３５  位置情報記録手段
１３６  制御部
１３７  視聴制限情報付加手段
１３８  コピー制御情報付加手段
１３９  表示手段
１４  位置情報検出手段（ＧＰＳ受信器）
１５  送受信手段
１６  固有アドレス
１７  遠隔制御手段
３  映像情報管理装置（ＩＳＰ）
３１  第１の通信手段
３２  外部記録媒体制御手段
３３  第２の通信手段
３４  映像撮影装置判別手段
３５  映像撮影装置検索手段
３９  外部記録媒体（サーバ）
５  端末装置
５１  通信手段
５２  検索条件等入力手段
５３  映像情報等入力手段
５４  映像情報記憶手段
５５  視聴制限情報判別手段
５６  映像情報制御手段
６１  通信衛星
６２  通信基地局
６３  公衆回線
７  利用者
【図１】
2006101279.tif 000003
【図２】
2006101279.tif 000004
【図３】
2006101279.tif 000005
【図４】
2006101279.tif 000006
【図５】
2006101279.tif 000007
【図６】
2006101279.tif 000008
【図７】
2006101279.tif 000009
【図８】
2006101279.tif 000010
【図９】
2006101279.tif 000011